(57)【要約】      （修正有）【課題】大型倉庫や建築現場等の仮囲いとして用いられるテントハウスの脚座構造に於て、軟弱で凹凸がある接地面であっても容易に設置ができる様にする。【解決手段】  基台２、座体３、支柱５、高さ調整手段６、緊張手段７とで構成し、とりわけ接地面Ａに接地される基台２と、基台２に対して支柱５を起立固定する為の緊張手段７とを設ける。基台２に対して座体３を前後方向に調整移動する為の水平調整手段４を備えていても良い。緊張手段７は、座体３と支柱５との間に介設されたターンバックル２６にしても良い。緊張手段７は、基台２に掛止される掛止体２７と、掛止体２７と支柱５との間に介設されたジャッキベース２８とを備えていても良い。【選択図】図２
2006177014.tif 000002
【特許請求の範囲】
【請求項１】
接地面に接地される基台と、基台に取付られる座体と、座体に直立される支柱と、座体に対して支柱の高さを調整する為の高さ調整手段と、基台に対して支柱を起立固定する為の緊張手段と、から構成した事を特徴とするテントハウスの脚座構造。
【請求項２】
基台に対して座体を前後方向に調整移動する為の水平調整手段を備えている請求項１に記載のテントハウスの脚座構造。
【請求項３】
緊張手段は、座体と支柱との間に介設されたターンバックルである請求項１に記載のテントハウスの脚座構造。
【請求項４】
緊張手段は、基台に掛止される掛止体と、掛止体と支柱との間に介設されたジャッキベースとを備えている請求項１に記載のテントハウスの脚座構造。
【発明の詳細な説明】
【技術分野】
【０００１】
本発明は、例えば大型倉庫や建築現場等の仮囲いとして用いられるテントハウスの脚座構造の改良に関する。
【背景技術】
【０００２】
従来、この種のテントハウスの脚座構造としては、例えば特許文献１に記載されたもののが知られている。
当該テントハウスの脚座構造は、接地面に接地される座体と、座体に直立される支柱と、座体に対して支柱の高さを調整する為の高さ調整手段と、から構成されている。
高さ調整手段は、座体に植設されて支柱の下部に挿入される螺子棒と、これに螺合されて支柱の下面に当合されるハンドルナットとを備えている。
而して、この様なものは、高さ調整手段を備えているので、接地面に対して支柱の高さを調整する事ができる。
【０００３】
【特許文献１】特許第３４５５９３６号公報
【発明の開示】
【発明が解決しようとする課題】
【０００４】
ところが、この様なものは、主としてコンクリートやアスファルト等で舗装された比較的強硬で平滑な接地面に設置される様に考えられて、座体の接地面積が比較的小さく設計されていたので、建設現場等の様に軟弱で凹凸がある接地面には容易に設置できなかった。
【０００５】
本発明は、叙上の問題点に鑑み、これを解消する為に創案されたもので、その課題とする処は、軟弱で凹凸がある接地面であっても容易に設置ができる様にしたテントハウスの脚座構造を提供するにある。
【課題を解決するための手段】
【０００６】
本発明のテントハウスの脚座構造は、基本的には、接地面に接地される基台と、基台に取付られる座体と、座体に直立される支柱と、座体に対して支柱の高さを調整する為の高さ調整手段と、基台に対して支柱を起立固定する為の緊張手段と、から構成した事に特徴が存する。
【０００７】
接地面に基台が接地されてその上に座体を介して支柱が樹立される。座体より接地面積と重量が比較的大きい基台が接地面に接地されるので、仮え接地面が軟弱で凹凸があっても、支柱が安定良く樹立される。
高さ調整手段に依り支柱の高さを調整する事ができると共に、緊張手段に依り高さ調整した後の支柱を強固に起立固定する事ができる。
【０００８】
基台に対して座体を前後方向に調整移動する為の水平調整手段を備えているのが好ましい。この様にすれば、テントハウスの奥行方向である前後方向に配置された複数の支柱の間隔を容易に調整する事ができる。
【０００９】
緊張手段は、座体と支柱との間に介設されたターンバックルであるのが好ましい。この様にすれば、既存のターンバックルをそのまま利用する事ができ、コストの低減を図る事ができる。
【００１０】
緊張手段は、基台に掛止される掛止体と、掛止体と支柱との間に介設されたジャッキベースとを備えているのが好ましい。この様にすれば、既存のジャッキベースを利用する事ができ、コストの低減を図る事ができる。然も、基台に対して支柱を所謂直接的に起立固定する事ができる。
【発明の効果】
【００１１】
本発明に依れば、次の様な優れた効果を奏する事ができる。
（１）  基台、座体、支柱、高さ調整手段、緊張手段とで構成し、とりわけ接地面に接地される基台と、これに対して支柱を起立固定する為の緊張手段とを設けたので、軟弱で凹凸がある接地面であっても容易に設置ができる。
（２）  接地面に接地される基台と、これに対して支柱を起立固定する為の緊張手段を設けたので、高さ調整手段に依り高さ調整された後の支柱を強固に固定する事ができると共に、複数設置される支柱の高さを簡単に揃える事ができる。
【発明を実施するための最良の形態】
【００１２】
以下、本発明の実施の形態を、図面に基づいて説明する。
図１は、本発明の第一例に係るテントハウスの脚座構造を示す正面図。図２は、図１の側面図。図３は、図１の平面図。図４は、伸長状態を示す図１と同様図である。
【００１３】
脚座構造１は、基台２、座体３、水平調整手段４、支柱５、高さ調整手段６、緊張手段７とからその主要部が構成されて居り、テントハウスに適用される。
テントハウスは、図略しているが、支柱とこれの上部から斜め上方に延出する屋根骨とを備えて両者が着脱可能に連結される主骨体と、主骨体の基端に着脱可能に設けられて接地面に対して主骨体を高さ調整する為の座体と、前後方向に隣接する主骨体間に着脱可能に設けられる適数の筋違体と、前後方向に隣接する主骨体間に着脱可能に設けられる適数の桁体と、これらの外側に張られる膜体とから構成されている。ここで、前後方向とは、テントハウスの奥行方向を言い、左右方向とは、テントハウスの幅方向を言う事にする。
【００１４】
基台２は、接地面Ａに接地されるもので、この例では、接地面Ａ上に置かれて比較的接地面積が大きい敷板８と、この上に固定されて比較的重量が大きい左右の型材９とを備えている。敷板６は、平板状を呈し、複数のものが接地面Ａ上の前後方向に列置される。型材９は、略Ｈ状を呈し、長手方向が前後方向に向けられると共にフランジが水平にされて敷板８の上に載置され、下部フランジと敷板８との間が溶接等に依り部分的に固定されている。
【００１５】
座体３は、基台２に取付けられるもので、この例では、平板状を呈し、基台２の型材９に呼応して左右一対にしてあり、型材９の上部フランジの上に置かれている。
【００１６】
水平調整手段４は、基台２に対して座体３を前後方向に調整移動する為のもので、この例では、型材９の上部フランジの前後方向に所定間隔毎に多数穿設された左右の貫孔１０と、座体３に削設されて多数の貫孔１０のうちの複数（４つ）が連通する左右の長孔１１と、座体３に重ねられる左右の座金板１２と、これらに穿設されて長孔１１を介して前後方向に離間する二つの貫孔１０に連通する透孔１３と、貫孔１０と長孔１１と透孔１３とに挿通されるボルト１４と、これに螺合されるナット１５とを備えている。
【００１７】
支柱５は、座体３に直立されるもので、この例では、左右の縦管１６と、これらを連結する適数の横材１７及び適数の筋違材１８とを備えている。縦管１６は、角筒状を呈し、下側が同形状で小径にされている。横材１７は、角筒状を呈し、左右の縦管１６の下位には、二つのものが設けられている。筋違材１８は、角筒状を呈している。
【００１８】
高さ調整手段６は、基台２に対して支柱５の高さを調整する為のもので、この例では、ジャッキベースを用いて居り、支柱５の縦管１６に呼応して左右に設けられている。高さ調整手段６は、座体３に溶接等に依り固定される座板１９と、これに植設されて上部が支柱５の縦管１６に挿入される螺子棒２０と、これに螺合されて支柱５の縦管１６に当合されるハンドルナット２１と、支柱５の縦管１６に螺設されて螺子棒２０を抜止めする抜止めボルト２２とを備えている。
【００１９】
緊張手段７は、基台２に対して支柱５を起立固定する為のもので、この例では、座体３と支柱５との間に介設されたターンバックルにしてあり、支柱５の縦管１６に呼応して左右に設けられて居り、夫々前後一対、合計四つのものにしてある。緊張手段７は、座体３に付設されたブラケット２３と、支柱５の下から二番目の横材１７に付設されたブラケット２４と、これらにボルト・ナット２５に依り左右方向軸廻りに回動可能に枢結されたターンバックル２６とを備えている。ターンバックル２６は、周知の所謂アイ＆アイ型で割枠胴式のものを用いて居り、夫々逆螺子が形成された二つのアイボルトと、これらが螺合されて回動操作される割枠胴型のナットとを備えている。
【００２０】
次に、この様な構成に基づいてその作用を述解する。
接地面Ａに基台２が接地されてその上に座体３を介して支柱５が樹立される。座体３より接地面積と重量が比較的大きい基台２が接地面Ａに接地されるので、仮え接地面Ａが軟弱で凹凸があっても、支柱５が安定良く樹立される。
【００２１】
水平調整手段４のボルト１４及びナット１５を緩めると共に、座体３を前後方向に移動させた後に再びボルト１４及びナット１５を締め付けると、基台２に対して支柱５を前後方向に調整移動させる事ができる。この為に、テントハウスの奥行方向（前後方向）に複数配置された支柱５の間隔を容易に調整する事ができる。
【００２２】
高さ調整手段６の抜止めボルト２２を緩めると共に、ハンドルナット２１を回動させた後に再び抜止めボルト２２を締め付けると、座体３に対して支柱５の高さを容易に調整する事ができる。この為に、テントハウスの奥行方向（前後方向）に複数配置された支柱５の高さを容易に揃える事ができる。
【００２３】
緊張手段７のターンバックル２６のナットを回動させると、座体３と支柱５との間が緊張されて支柱５が起立固定される。この時、緊張手段７は、座体３と支柱５との間に介設されているので、これを機能させた後でも、水平調整手段４に依る支柱５の水平移動を行う事ができる。
【００２４】
次に、本発明の第二例を、図５乃至図８に基づいて説明する。
図５は、本発明の第二例に係るテントハウスの脚座構造を示す正面図。図６は、図５の側面図。図７は、図５の平面図。図８は、伸長状態を示す図５と同様図である。
第二例は、支柱５と緊張手段７を第一例とは異ならせたものである。
つまり、支柱５は、縦管１６間の最下位に設けられる横材１７を、水平板と垂直板とを備えた断面略倒立Ｔ型を呈するものにしている。
緊張手段７は、基台２に掛止される掛止体２７と、これと支柱５との間に介設されたジャッキベース２８とを備えたものにしている。
掛止体２７は、左右の型材９の上部フランジに下から跨って掛止されて中央に通孔が穿設された掛止板２９と、これの上部中央に溶接等に依り付設されて通孔に連通する角筒状の筒体３０と、掛止板２９の上部に付設されて略Ｌ型を呈する前後の補強材３１とを備えている。
ジャッキベース２８は、支柱５の最下位の横材１７にボルト・ナット３２に依り取付けられる取付板３３と、これに溶接等に依り固定される座板３４と、これに植設されて掛止体２７の筒体３０及び掛止板２８の通孔に挿通される螺子棒３５と、座板３４と螺子棒３５に跨って付設された左右のリブ３６と、螺子棒３５に螺合されて掛止体２７に当合される二つのハンドルナット３７とを備えている。
【００２５】
この様なものは、単一のジャッキベース２８を用いる事に依り支柱５を起立固定する事ができ、四つのターンバックル２６を用いる第一例に比べてその個数を大幅に削減でき、より一層のコストダウンを図る事ができる。然も、基台２と支柱５との間に介設しているので、直接支柱５を固定する事ができ、極めて効果的である。
【００２６】
尚、基台２は、先の例では、敷板８と型材９とで構成したが、これに限らず、適宜変更する事ができる。
水平調整手段４は、先の例では、座体３を前後方向に調整移動するものであったが、これに限らず、例えば座体３を左右方向に調整移動するものや座体３を前後方向及び左右方向に調整移動するものでも良い。
水平調整手段４は、先の例では、長孔１１を座体３に形成したが、これに限らず、例えば長孔１１を基台２の型材９に形成しても良い。
支柱５の横材１７は、先の例では、角筒状や断面略倒立Ｔ型であったが、これに限らず、例えばこれ以外の形状でも良い。
緊張手段７は、先の例では、座体３と支柱５との間や基台２の型材９と支柱５との間に介設したが、これに限らず、例えば基台２の敷板８と支柱５との間に介設しても良い。
【図面の簡単な説明】
【００２７】
【図１】本発明の第一例に係るテントハウスの脚座構造を示す正面図。
【図２】図１の側面図。
【図３】図１の平面図。
【図４】伸長状態を示す図１と同様図。
【図５】本発明の第二例に係るテントハウスの脚座構造を示す正面図。
【図６】図５の側面図。
【図７】図５の平面図。
【図８】伸長状態を示す図５と同様図。
【符号の説明】
【００２８】
１…脚座構造、２…基台、３…座体、４…水平調整手段、５…支柱、６…高さ調整手段、７…緊張手段、８…敷板、９…型材、１０…透孔、１１…長孔、１２…座金板、１３…透孔、１４…ボルト、１５…ナット、１６…縦管、１７…横材、１８…筋違材、１９…座板、２０…螺子棒、２１…ハンドルナット、２２…抜止めボルト、２３…ブラケット、２４…ブラケット、２５…ボルト・ナット、２６…ターンバックル、２７…掛止体、２８…ジャッキベース、２９…掛止板、３０…筒体、３１…補強材、３２…ボルト・ナット、３３…取付板、３４…座板、３５…螺子棒、３６…リブ、３７…ハンドルナット、Ａ…接地面。
【図１】
2006177014.tif 000003
【図２】
2006177014.tif 000004
【図３】
2006177014.tif 000005
【図４】
2006177014.tif 000006
【図５】
2006177014.tif 000007
【図６】
2006177014.tif 000008
【図７】
2006177014.tif 000009
【図８】
2006177014.tif 000010